(57)【要約】【課題】本発明はチョークコイルの特性安定化のために磁性体内で巻線コイルを中心に固定することを目的としたものである。【解決手段】両端に引き出し部２を備えた巻線コイル１と、金属磁性粉と接合剤とからなり前記巻線コイル１を加圧成形により封止する第１の磁性体５と、前記引き出し部２を回路基板へ接続する２つの実装端子電極７とからなるチョークコイルにおいて、金属磁性粉と接合剤とからなる第２の磁性体６を加圧成形して座板６ｂに突起部６ａを有した座板付タブレット状にし、前記座板付タブレット状の第２の磁性体６の突起部６ａを中心軸として銅線を巻回して引き出し部２を備えた前記巻線コイル１を形成し、前記第２の磁性体６と前記巻線コイル１を前記第１の磁性体５によって封止して加圧成形したチョークコイルとする。【選択図】図１
2007123306.tif 000002
【特許請求の範囲】
【請求項１】
両端に引き出し部を備えた巻線コイルと、金属磁性粉と接合剤とからなり前記巻線コイルを加圧成形により封止する第１の磁性体と、前記引き出し部を回路基板へ接続する実装端子電極とからなるチョークコイルにおいて、金属磁性粉と接合剤とからなる第２の磁性体を加圧成形して座板に突起部を有した座板付タブレット状にし、前記座板付タブレット状の第２の磁性体の突起部を中心軸として銅線を巻回して引き出し部を備えた前記巻線コイルを形成し、前記第２の磁性体と前記巻線コイルを前記第１の磁性体によって封止して加圧成形したチョークコイル。
【請求項２】
前記座板を前記回路基板と反対側に配置したことを特徴とする請求項１に記載のチョークコイル。
【請求項３】
前記引き出し部を前記座板に沿うように設けられたことを特徴とする請求項１に記載のチョークコイル。
【請求項４】
金属磁性粉と接合剤とからなる磁性体を加圧成形し、座板に突起部を有した座板付タブレット状の第２の磁性体を形成する第１の工程と、前記第２の磁性体の突起部を中心軸として銅線を巻回して引き出し部を備えた巻線コイルを形成する第２の工程と、前記第２の磁性体と前記巻線コイルを金属磁性粉と接合剤とからなる第１の磁性体によって封止して加圧成形し、封止体を形成する第３の工程と、前記引き出し部と回路基板とを接続する実装端子電極を前記封止体に取り付ける第４の工程とからなるチョークコイルの製造方法。
【発明の詳細な説明】
【技術分野】
【０００１】
本発明は、各種電子機器、通信機器等にＤＣ／ＤＣコンバータなどの回路素子として使用されるチョークコイルに関するものである。
【背景技術】
【０００２】
従来のチョークコイルの分解斜視図を図６に示す。図７は従来のチョークコイルの斜視図である。
【０００３】
図６および図７において、１は銅線などからなる巻線コイルであり、両端には引き出し部２を備えており、空芯部１３を形成するように同軸上に巻回されている。１４は金属磁性粉と接合剤などからなり加圧成形により巻線コイル１を封止する磁性体である。７は実装端子電極であり、巻線コイル１の引き出し部２に接続され、磁性体１４の底面に接着剤などで固定されている。
【０００４】
なお、この出願の発明に関する先行技術文献情報としては例えば特許文献１が知られている。
【特許文献１】特開２００４−１９７２１８号公報
【発明の開示】
【発明が解決しようとする課題】
【０００５】
上記構成において従来のチョークコイルは磁性体１４によって封止される際に巻線コイル１がわずかに動いてしまい、正確に中央に巻線コイル１が配置されないという課題を有していた。チョークコイルにおいて巻線コイル１の位置は特性を決める大きな要因であった。そこで本発明では巻線コイル１の位置を固定することを目的とするものである。
【課題を解決するための手段】
【０００６】
そしてこの目的を達成するために巻線コイルを加圧成形により封止する第１の磁性体と引き出し部を回路基板へ接続する２つの実装端子電極とからなるチョークコイルにおいて、金属磁性粉と接合剤とからなる第２の磁性体を加圧成形して座板に突起部を有した座板付タブレット状とし、座板付タブレット状の第２の磁性体の突起部を中心軸として銅線を巻回して引き出し部を備えた前記巻線コイルを形成することを特徴としたものである。
【発明の効果】
【０００７】
本発明によれば、第２の磁性体を中央に突起部を有した座板付きタブレット状とすることで突起部を中心として巻線コイル１の位置を固定することができ、これによってチョークコイルの特性の安定化を可能にすることが出来るものである。
【発明を実施するための最良の形態】
【０００８】
（実施の形態１）
以下、本発明の実施の形態におけるチョークコイルについて図面を参照しながら説明する。
【０００９】
本実施の形態に用いられるチョークコイルの一部分の斜視図を図１に示し、本実施の形態におけるチョークコイルの透視斜視図を図２に示す。従来のチョークコイルと同一構成のものについては説明を省略する。
【００１０】
図１および図２において、１は巻線コイルである。２は引き出し部、６は中央に突起部６ａを有する座板６ｂとなるように金属磁性粉と接合剤を加圧成形でタブレット状にした第２の磁性体である。５は金属磁性材料を粉末にして表面を絶縁被膜で覆い、接合剤を混ぜた第１の磁性体である。７は実装端子電極であり、巻線コイル１の引き出し部２に接続され、第２の磁性体６の底面に接着剤などで固定されている。そして、実装端子電極７を回路基板（図示せず）などに実装接続することになる。
【００１１】
巻線コイル１は第２の磁性体６の中央に設けられた突起部６ａを中心に巻かれ、座板６ｂ上に置かれている。この状態で第１の磁性体によって加圧成形によって封止される。第２の磁性体はいわゆるタブレット状に固形状を成しているために、突起部６ａを中心として銅線などを巻回することが可能となるものである。
【００１２】
第１の磁性体によって封止された後、第２の磁性体側に実装端子電極７が接着剤などによって接着固定される。引き出し部２は実装端子電極７に電気的接続が保たれた形で固定されるものとする。
【００１３】
このように座板付きタブレット状とされた第２の磁性体を用いることが、本発明における技術的特徴の一つであり、これによって、巻線コイル１は第２の磁性体によって固定されるので、常に巻線コイル１を中央に配置することが出来るものであり、これにより製品毎の特性のバラツキも飛躍的に低減することができる。
【００１４】
また、図３は本実施の形態に用いられるチョークコイルの斜視図である。本実施の形態によれば、２種類の磁性体を使用するので、チョークコイルの側面からは磁性体の界面８を確認することができるようになる。
【００１５】
さらに、図４は本実施の形態におけるチョークコイルの一部分の斜視図である。巻線コイル１は銅線などを突起部６ａを中心に複数回巻回することによって構成されるため、引き出し部２は巻線コイル１に対して上下に引き出される場合もあり得る。その場合は図４に示すように引き出し部２を座板６ｂに沿わせて引き出すことも可能であり、このようにすることによって、第１の磁性体５によって封止される際にも引き出し部２の位置を固定することが出来るようになるものであり、また、引き出し部２は座板６ｂに沿っているので巻線コイル１が断線することも少なくなるという効果も奏する。
【００１６】
なお、第１の磁性体５と第２の磁性体６の材料については、同一の材料であってもよいし、異なる材料であってもよい。重要なのは第２の磁性体６が突起部６ａを有し、座板付きタブレット状を形成できる程度に固形状を成すことである。このためには、第１の磁性体５や第２の磁性体６に含まれる接合剤の量を変化させたり、加圧成形時の圧力を変化させるなどして実現することができるものである。
【００１７】
（実施の形態２）
図５は本実施の形態におけるチョークコイルの断面図である。実施の形態１においては第２の磁性体６に実装端子電極７を接着固定していたが、本実施の形態においては、実装端子電極７を第２の磁性体とは反対側に接着固定することを特徴としている。
【００１８】
このようにすることによって、第１の磁性体の密度や封止時の圧力を下げるなどして実装端子電極７の間の絶縁距離Ａを確保することが出来るものであり、チョークコイルを小型化する際に実装端子電極７の面積を大きくすることが可能となる。
【００１９】
この絶縁距離Ａは実装端子電極７の最も近接する部分間において磁性体内を通じた距離であり、安全上定められた絶縁距離Ａを確保することが求められる。
【００２０】
本実施の形態においても実施の形態１と同様にチョークコイルの側面から磁性体の界面８が確認できることは言うまでもない。
【００２１】
上記の実施の形態におけるチョークコイルは以下のように製造される。
【００２２】
まず、第１の工程として、金属磁性粉と接合剤とからなる磁性体を加圧成形し、突起部６ａと座板６ｂとからなる座板付きタブレット状の第２の磁性体６を形成する。
【００２３】
次に第２の工程として、第２の磁性体６の突起部６ａを中心軸として、銅線を巻回して引き出し部２を備えた巻線コイル１を形成する。このとき、事前に巻回した巻線コイル１を突起部６ａに挿入してもよいものとする。
【００２４】
さらに、第３の工程として、巻線コイル１を突起部６ａに巻回した第２の磁性体６を金属磁性粉と接合剤とからなる第１の磁性体によって封止して加圧成形し、封止体を形成する。
【００２５】
また、第４の工程として、実装端子電極７と引き出し部２を接続するとともに接着剤などによって第２の磁性体６に接着固定する。このとき実装端子電極７は第１の磁性体５に接着固定してもよい。
【００２６】
以上の工程を経て本実施の形態におけるチョークコイルを完成させるものとする。
【産業上の利用可能性】
【００２７】
以上のように、本発明にかかるチョークコイルによれば、磁性体によって封止される際にも巻線コイルの位置が安定するため、製品毎の特性バラツキの少ないチョークコイルとすることが可能となり、各種電子機器、通信機器等にＤＣ／ＤＣコンバータなどの回路素子としての用途にも適用できる。
【図面の簡単な説明】
【００２８】
【図１】本発明の実施の形態におけるチョークコイルの一部分の斜視図
【図２】本発明の実施の形態におけるチョークコイルの透視斜視図
【図３】本発明の実施の形態におけるチョークコイルの斜視図
【図４】本発明の実施の形態におけるチョークコイルの一部分の斜視図
【図５】本発明の実施の形態におけるチョークコイルの断面図
【図６】従来のチョークコイルの分解斜視図
【図７】従来のチョークコイルの斜視図
【符号の説明】
【００２９】
１  巻線コイル
２  引き出し部
５  第１の磁性体
６  第２の磁性体
６ａ  突起部
６ｂ  座板
７  実装端子電極
８  界面
Ａ  絶縁距離
【図１】
2007123306.tif 000003
【図２】
2007123306.tif 000004
【図３】
2007123306.tif 000005
【図４】
2007123306.tif 000006
【図５】
2007123306.tif 000007
【図６】
2007123306.tif 000008
【図７】
2007123306.tif 000009